(57)【特許請求の範囲】
【請求項１】
バルブプレート（２）とカウンタープレート（３）とを備え、それらプレートの各々が通路開口（２１、３１）を有するピストン式圧縮機用の能動制御バルブにおいて、バルブプレート（２）はバルブの長軸（Ａ）周囲をカウンタープレート（３）に対して相対回転できるように軸支され、バルブプレート（２）がカウンタープレート（３）に対して相対回転できるようバルブプレート（２）に回転的に固定接続された駆動装置（４）が設けられ、能動制御バルブがカウンタープレート（３）に対してバルブプレート（２）を軸方向に移動させる手段をさらに備えることを特徴とする能動制御バルブ。
【請求項２】
駆動装置が固定子（７）および回転子（６）を備えた電気駆動装置（４）であり、回転子（６）がバルブプレート（２）に回転的に固定接続される請求項１記載のバルブ。
【請求項３】
回転子（６）が質量の小さい回転子（６）、特に管状の回転子（６）として設計される請求項２記載のバルブ。
【請求項４】
バルブプレート（２）を移動させる手段が、バルブプレート（２）または回転子（６）のうちの少なくともいずれか一方に軸方向の力を作用させることができるように配置されたリフティングマグネット（１０）である請求項１記載のバルブ。
【請求項５】
電気駆動装置（４）が軸方向の力を回転子（６）に作用させることができるように設計される請求項１または請求項４に記載のバルブ。
【請求項６】
バルブプレート（２）が、バルブを開放および／または閉鎖するための、つり上げと回転とが組み合わされた動作をする請求項１または５に記載のバルブ。
【請求項７】
軸方向に伸びる担持要素（９）に沿ってカウンタープレート（３）、バルブプレート（２）、回転子（６）が配列され、バルブプレート（２）および回転子（６）の軸支が担持要素（９）に対して、摩耗がないよう、特に摩擦がないように設計される請求項１乃至６のいずれか一項記載のバルブ。
【請求項８】
回転子（６）が磁気によって、担持要素（９）に対して接触しないように軸支される請求項７記載のバルブ。
【請求項９】
バルブプレート（２）および回転子（６）が、屈曲ばね（１１）によって担持要素（９）に接続される請求項７に記載のバルブ。
【請求項１０】
請求項１乃至９に従って設計されたバルブ（１）を備えたピストン式圧縮機。
【発明の詳細な説明】
【０００１】
【発明の属する技術分野】
本発明は、バルブプレート及びカウンタープレートを備え、これらの各プレートに通路開口を設けた、ピストン式圧縮機の能動制御バルブ、並びに該バルブを備えたピストン式圧縮機に関する。
【０００２】
【従来技術】
ピストン式圧縮機の吸引バルブおよび圧縮バルブのうち現今では大部分が、特定の媒質によって作動される、プレートバルブ（板弁）のようなばね式バルブである。この種のプレートバルブは一般に、板状のバルブシート、バルブプレート、および板状のバルブキャップを有し、これらは、バルブの軸方向に向けて眺めると順次配置されており、中心ねじによってまとめられている。その際、バルブプレートがバルブシートとバルブキャップとの間に配置され、バルブプレートはバルブキャップとバルブプレートとの間で作用するばねによるバイアス力によってバルブシートに対して付勢されるので、バルブシートにおける通路開口を密閉することになる。特定の媒質による所定の開放圧力において、バルブプレートはばねの力に抗してバルブシートから軸方向に持ち上げられ、媒質の通路開口が開く。特定の媒質による圧力が閉鎖圧力よりも下降すると、ばねによって再びバルブプレートがバルブシートに対して押圧され、バルブが閉じる。
【０００３】
したがって、この種のバルブは受動的に作動されている。つまり、バルブプレートまたは同様なバルブボディは、実質的に、特定の媒質、ばね、およびそれらの質量に起因する力の関係によって動く。この種のバルブの主要な問題は、バルブの動力学が満足のいくものではないことである。バルブはゆっくりと開閉し、ピストン式圧縮機の作業サイクルと関係した開放時点または閉鎖時点の各々は、不正確にしか設定されず、理想的には設定されない。例えば比較的弱いばねを使用した場合、バルブプレートのストロークは一般に十分に大きくなり、バルブを通過する十分大きい流れの断面積が実現されるが、バルブが閉じられるのが概して遅すぎる。他方、強いばねを使用した場合、一般にバルブはより速やかに閉じられるが、バルブプレートのストロークが大幅に小さくなり、通過する流れの断面積が不都合に減小してしまうことになる。
【０００４】
この種のバルブは流れによって励振される傾向があり、また同様に、空力弾性的フラッターをも示す。その上、バルブプレートはたびたび末端のアバットメントの所ではね返る。この制御されないはね返りの動きによって、材料に疲労や損傷が起こり、バルブや圧縮機の各々の寿命が大幅に短縮される。これは、経済性の観点からすれば、無視できない損失である。
【０００５】
また従来技術より、自動車エンジンにおける能動バルブ（例えばマッシュルーム弁）が知られており、このバルブは自身の駆動機構を通じた外部の制御によって作動される。この種の能動バルブの作動は、例えばカム駆動装置と、カム駆動に対応するよう設計された、バルブシートに対するバルブプレートのストロークの動きを制御するトランスミッション連動装置とによって起きる。能動的に制御されたプレートバルブは、バルブを作動するのに流れている媒質からエネルギーを取り出す必要がないという利点を有する。その上、この種のバルブはより迅速に開閉し、開放時点および閉鎖時点の各々は概して受動バルブよりも正確に設定され得る。しかしながら、バルブプレートのはね返りおよびそれによる材料の摩耗の問題が公知の能動バルブにも存在する。
【０００６】
特に高性能な最新のピストン式圧縮機を開発するにあたっては、より速いスピードとより大きな差圧がしばしば目標とされるが、このような場合には上記の問題がより重大なものになる。
【０００７】
【発明が解決しようとする課題】
それゆえ、この従来技術から出発すると、本発明の目的は、バルブの動力学が改善された、ピストン式圧縮機の能動制御バルブを提供することにある。特に、バルブプレートのはね返りは可能な限り防止される。
【０００８】
【課題を解決するための手段】
上記の目的を満たす能動制御バルブは独立請求項の特徴によって特徴づけられる。
【０００９】
請求項１記載の発明は、バルブプレートおよびカウンタープレートを備え、それらのプレートの各々が通路開口を有するピストン式圧縮機の能動制御バルブにおいて、バルブプレートはバルブの長軸の周囲をカウンタープレートに対して相対回転できるように軸支され、バルブプレートがカウンタープレートに対して相対回転できるようにバルブプレートに回転的に固定接続された駆動装置が設けられ、能動制御バルブがカウンタープレートに対してバルブプレートを軸方向に移動させる手段をさらに備えることを特徴とする。
【００１０】
本発明によるバルブの閉鎖位置では、カウンタープレートの通路開口がバルブプレートによって閉じられるように、バルブプレートとカウンタープレートとが互いに向き合う。バルブを開放するためには、バルブプレートをカウンタープレートに対して所定の角度だけバルブの長軸周囲に回転させて、バルブプレートの通路開口がカウンタープレートの通路開口の上に来るようにする。このように、媒質が通過する流れの断面積が生じる。つまり、バルブは開放位置にある。バルブを閉鎖するためには、バルブプレートを同様に所定の角度だけバルブの長軸周囲に回転させて、カウンタープレートの通路開口を密閉する。
【００１１】
バルブの開放と閉鎖はそれぞれ、バルブプレートを基部プレートに対して回転させることによって起こり、二枚のプレートに設けられた通路開口が一列に並ぶ位置（開放位置）かまたは通過する流れの連絡が存在しない相互の位置（閉鎖位置）に置かれる。この処置によって、公知のバルブに起こるようなバルブプレートのはね返りの問題が回避される。一般に知られている空力弾性的フラッターも本発明によるバルブにおいては発生しない。
【００１２】
本発明のさらなる有利な処置および好適な実施形態は従属請求項に述べられる。
請求項２記載の発明は、請求項１記載のバルブにおいて、駆動装置が固定子および回転子を備えた電気駆動装置であり、回転子がバルブプレートに回転的に固定接続されることを特徴とする。バルブの動力学の改善に関して、特に開放時点および閉鎖時点の各々をできるだけ理想的に設定し得ることに関して、駆動装置は固定子と回転子とを備えた電気駆動装置であり、回転子が回転的にバルブプレートに固定接続されていることが望ましい。この駆動装置はカウンタープレートに対するバルブプレートの角度の位置を迅速かつ十分な正確さで制御し得るという単純な可能性を示す。
【００１３】
請求項３記載の発明は、請求項２記載のバルブにおいて、回転子が質量の小さい回転子、特に管状の回転子として設計されることを特徴とする。バルブの開放と閉鎖の各々をさらに速く行えるようにするためには、このように回転子は質量の小さい回転子、特に管状の回転子に設計されることが望ましい。これによって、バルブの作動の際に移動される質量が小さくなり、その結果、比較的小さな慣性の力しか生じなくなる。
【００１５】
また、請求項４記載の発明は、請求項１記載のバルブにおいて、バルブプレートを移動させる手段が、バルブプレートまたは回転子のうちの少なくともいずれか一方に軸方向の力を作用することができるよう配置されたリフティングマグネットであることを特徴とする。
【００１６】
請求項５記載の発明は、請求項１または４記載のバルブにおいて、電気駆動装置が軸方向の力を回転子に作用することができるように設計されることを特徴とする。
【００１７】
請求項６記載の発明は、請求項１または５記載のバルブにおいて、バルブプレートが、バルブを開放または／および閉鎖するための、つり上げと回転とが組み合わされた動作をすることを特徴とする。
バルブの非常に長い寿命が保証される。
【００１８】
バルブを開閉するために、バルブプレートがつり上げと回転とが組合わさった動きをすると、その際、つり上げの動きの振幅は比較的小さく、例えばわずか約０．１ｍｍである。バルブを作動する際のこのわずかな軸方向の動きによって、バルブプレートはカウンタープレートの対してほとんど摩擦なく回転することができる。これによって、バルブプレートおよびカウンタープレートには事実上摩擦が起こらず、バルブの非常に長い寿命が保証される。
【００１９】
請求項７記載の発明は、請求項１乃至６のいずれか一項記載のバルブにおいて、軸方向に伸びる担持要素に沿ってカウンタープレート、バルブプレート、回転子が配列され、バルブプレートおよび回転子の軸支が担持要素に対して、摩耗がないよう、特に摩擦がないように設計されることを特徴とする。回転可能なバルブ要素すなわち回転子およびバルブプレートの、この摩耗のない軸支によって、互いに沿って滑動する部品に摩損が事実上存在しないため、バルブプレートの寿命はさらに伸び得る。
【００２０】
請求項８記載の発明は、請求項７記載のバルブにおいて、回転子が磁気によって、担持要素に対して接触しないように軸支されることを特徴とする。
請求項９記載の発明は、請求項７記載のバルブにおいて、バルブプレートおよび回転子が、屈曲ばねによって担持要素に接続されることを特徴とする。摩耗のない軸支は、バルブプレートと回転子とを、屈曲ばねによって担持要素に接続することによって実現される。この屈曲ばねは、一端は担持要素から他端はバルブプレートまたは回転子の各々までの間を径方向に伸びる。バルブが作動すると、つまり、バルブプレートが回転すると、屈曲ばねは弾力的に変形する。この屈曲ばねによって、バルブプレートまたは回転子の各々も軸方向に対して摩耗のない方法で軸支され、バルブプレートを軸方向にさらにわずかにつり上げて動かすことが同様に可能である。バルブプレートが屈曲ばねによって回転可能かつ軸方向に移動可能に軸支されたこの設計は、バルブプレートの軸支にはあそびもないというさらなる利点を有し、信頼できるバルブ機能が保証される。
【００２１】
請求項１０記載の発明は、請求項１乃至９記載のバルブを備えたピストン式圧縮機である。
【００２２】
【発明の実施の形態】
本発明を図面および例示的な実施形態を参照して以下により詳細に述べる。図面は一定の比例に縮小されていない略図で示される。
【００２３】
図１は本発明による能動制御バルブの例示的な実施形態の必須の部分を縦断面図で示したものであり、バルブ全体を参照符号１で示す。バルブ１は図示しないバルブハウジングに収容されている。図１に示した例示的な実施形態はピストン式圧縮機用の圧力バルブを表す。本発明による能動制御バルブ１を、吸引バルブとして同様に設計することもできるのは明らかである。
【００２４】
能動バルブ１は、図３に平面図で示されたバルブプレート２と、カウンタープレート３とを備える。複数の通路開口２１、３１の各々は、径方向に伸びるスリットとして形成されることが望ましく、該通路開口２１、３１はバルブプレート２およびカウンタープレート３の両方に設けられ、バルブプレート２およびカウンタープレート３の各々を図３に示すように上から周方向に眺めた場合に、等距離に分配される。この際、スリットの大きさおよびそれらの相互の間隔はバルブプレート２とカウンタープレート３とでは同じである。
【００２５】
カウンタープレート３は、軸方向に伸びる棒状の担持要素９にしっかりと固定される。担持要素９によってバルブ１の長軸Ａの方向が表される。通常の作動状態において、この担持要素９は（したがってカウンタープレート３も）圧縮機のハウジングに対して固定位置に配置される。組み立てた状態で、カウンタープレート３は例えば公知の方法で圧縮機のハウジング中で支持され、それゆえバルブ１を支える。この際、圧縮機の圧縮スペースが図のカウンタープレート３の下に位置するようにバルブ１が取り付けられる（図１）。
【００２６】
バルブプレート２は、図によれば、軸方向にカウンタープレート３と隣接するように、カウンタープレート３の上に配置される。バルブ１の閉鎖位置において、バルブプレート２は密閉するようにカウンタープレート３上に存在し、カウンタープレート３によって支持される。
【００２７】
バルブプレート２は、本明細書に述べた例示的な実施形態では、屈曲ばね１１によって担持要素９に関して回転可能かつ軸方向に移動可能に軸支されている。このため、バルブプレート２は輪形に設計される。つまり、軸方向の中心開口部２２を有する。担持要素９はこの中心開口部２２を通って伸びる。担持要素９は複数の屈曲ばね１１を介してバルブプレート２の径方向内部に存在する境界面に接続され、屈曲ばね１１はその都度、静止位置において径方向に伸びるように配置される。このように、バルブプレート２はバルブ１の長軸Ａの周囲に、カウンタープレート３に相対して、回転することができるように軸支されている。
【００２８】
バルブ１が閉鎖位置にある場合、図によれば、バルブプレート２はカウンタープレート３に対して、バルブプレート２の通路開口２１同士の間の部分がカウンタープレート３の通路開口３１の上に来るように配置され、カウンタープレート３の通路開口３１はバルブプレート２に覆われる。結果として、バルブプレート２はカウンタープレート３上に密閉状態に存在し、バルブ１を通過する流れの連絡は存在しなくなる。バルブ１を開放するためには、バルブプレート２を所定の角度だけバルブ１の長軸Ａ周囲に回転させて、カウンタープレート３およびバルブプレート２の通路開口３１、２１が一列に並ぶようにする。この角度は通路開口２１、３１の周方向における延長部分によってほぼ決定される。この時点で、通過する流れの連絡が存在する。
【００２９】
当該実施形態の特に有利な点は、媒質が事実上曲がることなく、したがって流れの損失がない状態でバルブを通過できることである。特に、媒質のエネルギー損失は公知のバルブにおけるよりもかなり少ない。
【００３０】
本発明による能動バルブは駆動装置４によって外部から制御される。好適な例示的実施形態において駆動装置は、図示しない制御および供給ユニットによってエネルギーを供給されて制御される電気駆動装置４である。その際に、制御は例えばピストン式圧縮機のピストンの動きに関する所要時間に依存して行われる。電気駆動装置は、同軸上に配置された、巻線７１を備えた固定子７、回転子６、およびヨーク５を備え、それらの共通軸はバルブ１の長軸Ａである。この配置について明確にするために、図２に図１のＩＩ−ＩＩ線に沿った例示的な実施形態の断面図を示す。本明細書中に述べた例示的な実施形態において、固定子７が内側に、かつ担持要素９上に配置される。固定子７は磁場を起こすための外側に存在するスリーブ形のヨーク５に囲まれ、ヨーク５も同様に担持要素９上に配置される。電気駆動装置４の回転子６は、管状の回転子６として設計され、固定子７とヨーク５との間のエアギャップ８に配置される。それゆえ回転子６は質量が小さいので、回転子６を加速した場合に、小さい慣性力しか生じない。このことから、バルブ１が非常に早く作用し、したがって、非常に短時間に開閉をそれぞれ行えるという利点が得られる。
【００３１】
管状の回転子６は、バルブプレート２が回転子６の軸方向の端面を形成するように、その一端（軸方向に関する）においてバルブプレート２に直接的かつ回転的に固定接続されている。軸方向の他端においては、図（図１）によれば上端に相当するが、回転子は担持要素９上に環状平円盤形部分６１を有する。この部分６１は回転子６の第２の軸方向の境界面を形成し、ヨーク５の内部において軸支されている。担持要素９上への環状平円盤部分６１の軸支は、屈曲ばね１１によるバルブプレート２の軸支に関して上述したのと同様な方法で実現され、回転子６およびバルブプレート２から成るユニット全体は、回転可能かつ軸方向に移動可能であるように、担持要素９に軸支されている。
【００３２】
屈曲ばね１１は、屈曲ばね１１が静止位置または平衡位置にある時にバルブ１が開くように配列されることが望ましい。そこから得られる利点は、電気駆動装置４が故障の場合には自動的にバルブ１が開き、許容されないほどに圧縮機内が高圧になることはないということである。
【００３３】
特に好適な実施形態において、本発明によるバルブ１は、バルブプレート２をカウンタープレート３に対して軸方向に移動させる手段を有する。バルブ１の開放動作または閉鎖動作中、以下にさらに説明するように、バルブプレートはつり上げと回転とが組み合わされた動きを行う。そこから得られる利点は、回転運動が摩擦なしで起こるので、バルブ１の作動中、カウンタープレート３およびバルブプレート２に事実上摩耗が生じないということである。
【００３４】
本明細書に述べた例示的な実施形態において、バルブプレート２を軸方向へ移動させる手段には、電磁石として設計され、図示しない制御および供給ユニットによって同様に励磁される環状リフティングマグネットが含まれる。リフティングマグネット１０はヨーク５の軸方向の端面に配置され、回転子６の環状平円盤形部分６１と対向する。リフティングマグネット１０を作動させることによって、ローター６（従ってバルブプレート２にも）に軸方向の力がはたらき、その結果、バルブプレート２はカウンタープレート３から離れて持ち上がる。
【００３５】
バルブ１の好適な例示的実施形態は以下のように作用する。バルブ１が開位置にあると、既に上述したように、バルブプレート２はカウンタプレート３に対して、カウンタープレート３の通路開口３１とバルブプレート２の通路開口２１とが互いに重なり合って、媒質がバルブ１を通って流れることができるよう、向きを合わせて配置される。閉鎖の動きを開始するために、制御および供給ユニットによってリフティングマグネット１０を付勢すると、次いでマグネット１０によって軸方向に回転子６が引きつけられるので、回転子６と接続されているバルブプレート２が持ち上がり、カウンタープレート３から離れる。この動きにおいて、屈曲ばね１１は軸方向に弾性的に変形される。リフティングの動きは、一般的に非常に小さい振幅、例えばわずか０．１ｍｍである。摺動および接着による摩擦を受けることなく以後の回転動作を行うために、確実にバルブプレート２がカウンタープレート３から離れるようにする。バルブプレート２をカウンタープレート３から離した後、回転子６（従ってバルブプレート２も）が担持要素９周囲を所定の角度だけ回転できるように、制御および供給ユニットによって電気駆動装置４が励磁される。その角度は回転後にバルブプレート２の通路開口２１の間の領域がカウンタープレート３の通路開口３１の上に位置するような大きさである。この回転動作において、屈曲ばね１１は周方向に弾性的に変形される。それからリフティングマグネット１０が消勢され、バルブプレート２が軸方向の屈曲ばね１１の復原力に援助されてカウンタープレート３上で定着すると、それによってカウンタープレート３の通路開口３１は密閉されるように覆われる。バルブ１は閉鎖される。バルブ１を開放するためには、まずバルブプレート２を再びリフティングマグネット１０によって軸方向に持ち上げ、閉鎖過程の時と同じ角度だけ反対方向にバルブプレート２を回転させ、軸方向に下降させ、再びカウンタープレート３上に横たわるようにする。しかしながら、その配向は、カウンタープレート３とバルブプレート２との通路開口同士が互いに重なるような配向である。
【００３６】
通路開口２１、３１を複数の径方向に伸びるスリットとして設計することによって、開放または閉鎖の各位置にするのにバルブプレート２を回転させなければならない角度は比較的小さくなっており、例えば４５度よりも小さい。同様な動作の間にバルブプレート２が回転する経路がこのように短いということは、バルブ１の速度、つまり開放と閉鎖の各々に必要な時間、に肯定的な影響を及ぼす。操作の原理に関連する電気駆動装置４の理論上の設計に関しては、一般に知られている多くの可能性が考えられる。したがって例えば回転子６は、非同期短絡回転子、永久磁石を備えた非同期モーターまたはステップモーターの回転子、または強磁性材料を含んだ磁気抵抗回転子として設計することができ、伝導性材料から成るスリットがあってもなくてもよい。できるだけ質量を小さく設計することに関連して、回転子６は軽い材料から形成されることが望ましい。したがって、例えばアルミニウムは短絡回転子の場合に好適な材料である。電気駆動装置４は当然、例えば、図１および２に示された固定子７およびヨーク５の配置を逆にして、回転子６が内部に存在するように設計することもできる。
【００３７】
バルブプレート２および回転子６を担持要素９に対して軸支させるために屈曲ばね１１により設計することは、この軸支にはあそび、摩耗、摩擦、および特に摺動摩擦が存在しないという点で有利である。軸支にあそびがないので、バルブ１の動きが非常に精密であり、安全で信頼できる操作が保証される。可動のバルブ要素、すなわち回転子６およびバルブプレート２の軸支に摩擦および摩耗がないので、非常に寿命が長い。バルブプレート２がつり上げと回転とが組み合わされた動きを行い、従ってバルブプレート２とカウンタープレート３との間に摩擦を実質的に生じずに能動バルブの動きも起こる、というバルブ１の設計に特に関連して、能動バルブには事実上摩耗が生じない。
【００３８】
本発明によるバルブ１の能動的な作動によって、開放時点および閉鎖時点を、その都度理想的に、特に媒質によって作用される圧力とは無関係に設定することができる。このことはエネルギー損失が大幅に減小するという利点を有し、バルブ１の効率はそれによって改善される。
【００３９】
さらに、圧縮機の動作も非常に簡単な方法で制御することができる。従って、例えば必要に応じて簡単な方法で圧縮機の前進動作を低下させるために、外部からの制御によって一以上の作業サイクルの間バルブを開放したままにすることが可能である。例えば圧力バルブが第４作業サイクル毎の間、開位置のままにされた場合、圧縮機の性能は約２５％低下する。
【００４０】
特に、質量の小さいとりわけ管状の回転子６を有する電気駆動装置４を備えるようにバルブ１を設計すると、非常に動作の速いバルブが得られる。つまり、作動中に移動される質量が非常に小さく、小さい慣性力しか生じないため、バルブ１による流れの断面積の開放または閉鎖を短時間で行うことができる。このことは特に非常に高性能な圧縮機に関して非常に有利である。なぜなら、公知のバルブでは開放時間および閉鎖時間が、しばしば達成し得る圧縮機の最大作業速度（ピストン速度）を制限する必須要素となるからである。
【００４１】
リフティングマグネット１０に関する実施形態の代わりに、軸方向にバルブプレート２を動かすための手段を電気駆動装置の中に組み込んでもよい。電気駆動装置４はその時、例えば固定子７の巻線７１の対応する配列および励磁によって、回転子６または回転子６と接続したバルブプレート２の各々に、トルクに加えて軸方向に向けた力を作用させるように設計される。
【００４２】
もちろん屈曲ばね１１も、例えば静止位置において、回転子６またはバルブプレート２の各々と担持要素９との間を螺旋形に伸びるように、違う方法で設計してもよい。
【００４３】
回転子６およびバルブプレート２を屈曲ばね１１によって軸支する代わりに、回転子６を磁気によって担持要素９と接触させることなく軸支してもよい。すると回転子６およびバルブプレート２から成るユニットの軸支が公知の磁気的軸受によって行え、例えば、バルブの長軸Ａに対して固定子６を中央に保持するラジアル軸受によって行える。例えば固定子７の巻線７１の対応する設計および配列によって、磁気的軸支のための手段を電気駆動装置４に組み込むこともさらに可能であり、この場合、電気駆動装置は回転子６にトルクをかけると共に、バルブの長軸Ａに関して回転子６が中心に置かれるように非接触で磁気的に回転子６を軸支することができる。
【００４４】
回転子６を非接触で担持要素９に対して磁気的に軸支することによって、既に述べた摩擦や摩耗がないという利点が回転子６にもたらされる。回転子６またはバルブプレート２の各々が磁気的に軸支された実施形態において、バルブ１を開閉する時に、その都度同じ方向にバルブプレート２を回転させることも可能である。
【００４５】
本発明によるバルブ１において、バルブプレート２とカウンタープレート３との間に、例えば従来のプレートバルブより知られているのと同様な方法で、ダンパープレートをさらに設けてもよい。
【００４６】
【発明の効果】
以上に述べたように、本発明によるバルブ１は、バルブプレート２のはね返りおよびフラッターが生じないことを特徴とし、これによって材料の疲労が防止され、バルブ１は操作状態において非常に長い寿命を有する。本発明によるバルブによって、開閉時間が短く、かつ開放時点および閉鎖時点を理想的に設定できるという優れたバルブの動力学が可能となる。さらに、本発明によるバルブは事実上摩耗がないように設計することができる。
【図面の簡単な説明】
【図１】必須の部分を備えた本発明によるバルブの例示的な実施形態を示す縦断面図。
【図２】図１のＩＩ−ＩＩ線に沿って切った例示的な実施形態の断面図。
【図３】例示的な実施形態のバルブプレートの平面図。
【符号の説明】
１…バルブ、２…バルブプレート、３…カウンタープレート、４…駆動装置、６…回転子、７…固定子、９…担持要素、１０…リフティングマグネット、１１…屈曲ばね、２１、３１…通路開口。
【図１】
0004388626.tif 000002
【図２】
0004388626.tif 000003
【図３】
0004388626.tif 000004